(57)【特許請求の範囲】
【請求項１】
マンホール首部１の上面にマンホール用蓋枠２を設け、その蓋枠２の周囲を舗装した部位を、前記蓋枠２を路面Ｒと面一に嵩上げした後、その嵩上げした蓋枠２の高さに合わせて補修する方法において、
上記マンホール首部１内面周囲適宜位置に複数の受座２１をねじ止めし、その各受座２１にジャッキ２２を載せてそのプランジャ２２ａを上記蓋枠内面鍔部２ａ下面に当接させ、ジャッキ２２により蓋枠２を路面Ｒ表面レベルまで上昇させ、蓋枠２とマンホール首部１の間に生じた空隙にセメントを充填固化させ、
そのセメントの充填固化に併せて、又は充填固化後、上記マンホール首部１内面周囲適宜位置にその内面から外面に通じる孔２５を形成し、その孔２５から固化剤ａをマンホール首部１周囲の地盤Ｗに注入固化することを特徴とするマンホール用蓋枠周囲の補修方法。
【請求項２】
マンホール首部１をプレキャスト筒体１ａを積層して形成し、その首部１の上面にマンホール用蓋枠２を設け、その蓋枠２の周囲を舗装した部位を補修する方法において、
上記マンホール首部１をなすプレキャスト筒体１ａ、１ａの界面内周適宜位置に複数の穴３０を形成し、その各穴３０にジャッキ２２を設けて、そのジャッキ２２により上側のプレキャスト筒体１ａを上記蓋枠２が路面Ｒ表面レベルとなるまで上昇させ、プレキャスト筒体１ａ、１ａ間に生じた空隙にセメントを充填固化させ、
そのセメントの充填固化に併せて、又は充填固化後、上記マンホール首部１内面周囲適宜位置にその内面から外面に通じる孔２５を形成し、その孔２５から固化剤ａをマンホール首部１周囲の地盤Ｗに注入固化することを特徴とするマンホール用蓋枠周囲の補修方法。
【請求項３】
請求項１又は２に記載のマンホール用蓋枠周囲の補修方法に使用する作業台１０であって、
上記マンホール首部１に入り得る大きさの下方の円形乗板１１と上方の円形上枠１２とを、その周囲適宜位置で連結杆１３により連結した籠状物から成り、この籠状物は、マンホール首部１に装入した際、上記蓋枠２に係止して自己を保持する係止部を有することを特徴とする作業台。
【請求項４】
上記上枠１２の外径を蓋枠内面鍔部２ａ内径より大きくして、上枠１２の外周縁をその鍔部２ａ上面に係止する上記係止部としたことを特徴とする請求項３に記載の作業台。
【請求項５】
上記乗板１１全周囲に遮蔽シート１６を設け、この遮蔽シート１６の外周縁をマンホール首部１内面に固定するようにしたことを特徴とする請求項３又は４に記載の作業台。
【発明の詳細な説明】
【０００１】
【発明の属する技術分野】
この発明は、マンホール部及びその周囲の舗装部に生じた段差及びクラック等を補修する方法及びその補修に使用する作業台に関するものである。
【０００２】
【従来の技術】
電力ケーブルなどの地中管路には、適宜間隔で作業用のマンホールが構築される。そのマンホールＭは、図１０に示すように、周囲をコンクリート壁Ｃとし、その上面に地表面に開口するコンクリート製筒状首部１を形成し、その首部１上面にマンホール用蓋４を受ける蓋枠２を設け、その蓋枠２の周囲を舗装した構造である。
【０００３】
この道路上に設けたマンホールＭは、自動車などが通過することにより、マンホール用蓋枠２が沈下したり、その周りの舗装部等にクラックが生じる。このため、その沈下による段差及びクラックを補修する必要があり、従来から、種々の技術が開示されている。
【０００４】
例えば、特開２００１−３４８８１０号公報には、マンホール用蓋枠２の周囲をカッター又はブレーカーにより円形又は四角状に切断し、その内の舗装を除去して、蓋枠２の高さを調整した後、再度その周りを舗装し直す技術が開示されている。
【０００５】
また、特開昭５７−１３３９３３号公報には、マンホール用蓋枠２と首部１の間にくさびを打ち込んで、蓋枠２の高さ調整を行う技術が開示されている。さらに、特開平７−１５０５８２号公報には、蓋枠２の高さ調整をした後、首部１及びその周りの土壌（地盤）Ｗに樹脂を注入し、クラックなどを埋めるとともに固化して補強する技術が開示されている。
【０００６】
【発明が解決しようとする課題】
上記マンホール用蓋枠周囲を切断する補修方法は、その切断時に大きな騒音が発生し、その騒音による公害、破砕舗装片の処理などが問題となる。
【０００７】
くさびを打込む補修方法は、切断による騒音の発生はないが、そのくさび打込みを狭いマンホール首部１内で行うこととなるため、その作業性が悪いうえに、蓋枠２を全周囲均一に高さ調整しにくい問題がある。
【０００８】
また、くさび打込み、樹脂注入の作業は、図１０に示すように、マンホールＭ内に梯子３を設け、その梯子３に乗って行っている。この梯子３上は不安定であり、その不安定な姿勢では力を入れられず、疲労も大きく、長時間の作業を行えないのが実情である。さらに、コンクリート破片、その他落下物等により、マンホールＭ内に配置されたケーブルに損傷を与える恐れがある。
【０００９】
この発明は、静かに安定して作業を行うことができ、かつ、ケーブルなどの損傷を招かないようにすることを課題とする。
【００１０】
【課題を解決するための手段】
上記静かに作業を行うために、この発明は、マンホール用蓋枠の全周内面に鍔部を有するものにおいては、その鍔部を介してジャッキにより蓋枠を上昇（嵩上げ）させることとしたのである。ジャッキは、油圧式にしろ、ねじ式にしろ、騒音といえる程度の音は生じることがなく、また、舗装部などと固着した蓋枠を容易に剥離して上昇し得るとともに、全周囲を均一に上昇し得る。
【００１１】
また、上記安定した作業を行うために、この発明は、上記蓋枠に作業台を係止することとしたのである。蓋枠周囲適宜位置に係止すれば、作業台は安定するからである。このとき、その作業台の下部に、落下物の受取りシートを張設すれば、ケーブルなどの落下物による損傷を防止できる。すなわち、上記落下物防止の課題を解決し得る。
【００１２】
【発明の実施の形態】
補修方法に係るこの発明の実施形態としては、マンホール首部の上面にマンホール用蓋枠を設け、その蓋枠の周囲を舗装した部位を補修する方法において、前記マンホール首部内面周囲適宜位置に複数の受座をねじ止めし、その各受座にジャッキを載せてそのプランジャを前記蓋枠内面鍔部下面に当接させ、ジャッキにより蓋枠を路面表面レベルまで上昇させ、蓋枠とマンホール首部の間に生じた空隙にセメントを充填固化させ、そのセメントの充填固化に併せて、又は充填固化後、前記マンホール首部内面周囲適宜位置にその内面から外面に通じる孔を形成し、その孔から固化剤をマンホール首部周囲の地盤に注入固化する構成を採用する。
【００１３】
また、マンホール首部がプレキャスト筒体を積層して形成したものにあっては、そのプレキャスト筒体の界面内周適宜位置に複数の穴を形成し、その穴にジャッキにより上側のプレキャスト筒体を蓋枠が路面表面レベルとなるまで上昇させ、プレキャスト筒体間に生じた空隙にセメントを充填固化させ、以後、同様にして、固化剤を注入固化する構成を採用する。
【００１４】
これらの構成の補修方法によれば、ジャッキにより、安定して蓋枠を上昇でき、かつ、その上昇によって生じた空隙をセメントなどによって埋め、さらに、固化剤により、首部及び周囲を補強する。
【００１５】
このマンホール用蓋枠周囲の補修方法等に使用する作業台に係る発明の実施形態としては、前記マンホール首部に入り得る大きさの下方の円形乗板と上方の円形上枠とを、その周囲適宜位置で連結杆により連結した籠状物から成り、この籠状物は、マンホール首部に装入した際、上記蓋枠に係止して自己を保持する係止部を有する構成を採用する。
【００１６】
この構成の作業台を蓋枠に係止する手段は、上枠にフックなどを設けて行ってもよいが、上枠の外径を蓋枠内面鍔部内径より大きくして、上枠の外周縁をその鍔部上面に係止することにより、安定して支持することができ、その状態で、乗板上に乗って、上記のジャッキ作業、及び注入作業を行う。
【００１７】
また、乗板全周囲に遮蔽シートを設け、この遮蔽シートの外周縁をマンホール首部内面に固定すれば、コンクリート破片などの落下を防止できる。
【００１８】
【実施例】
一実施例の作業台を図３、図４に示し、その作業台１０は、マンホール首部１に入る大きさの円形乗板１１と円形上枠１２とをその周囲適宜位置で連結杆１３により連結した籠状物から成る。連結杆１３の数は任意であり、その連結杆１３の途中には適宜数の昇降用足場１４を設ける。その足場１４は連結杆１３の途中に設けた突部１３ａで支持する。
【００１９】
上枠１２の外径は、蓋枠２の内面鍔部２ａ内径より大きくしてあり、図５ａに示すように、この作業台１０をマンホール首部１内に入れると、その上枠１２が鍔部２ａ上面に係止して、作業台１０が蓋枠２に安定して支持される。上板１２と乗板１１の間隔調整は、作業者の背高に応じて、連結杆１３への上枠１２の止めボルト１７の穴１５を適宜に選択することにより行う（図４（ｃ）参照）。
【００２０】
また、乗板１１の周囲にはビニールシートなどの遮蔽（受取り）シート１６を設け、図５ａに示すように、このシート１６周囲を適宜に首部１内面に固着して、作業台１０の下部を被う。これにより、マンホールＭ内へのコンクリート片などの落下が防止される。シート１６の首部１内面への固着は、テープなどの種々の手段を採用する。
【００２１】
この作業台１０によって、マンホール用蓋枠２周囲の補修をするには、図１、２に示すように、この作業台１０をマンホール首部１に入れて蓋枠鍔部２ａで支持し、その内に入って作業をする。その作業は、図５ａ及び図６に示すように、蓋枠鍔部２ａ下方の首部１内面周囲等分位適宜位置に、図７に示す受座２１をビス止めし（ねじ止めし）、その上に、油圧ジャッキ２２を載せてそのプランジャ２２ａを鍔部２ａ下面に当接させ、このジャッキ２２により蓋枠２を上昇させて舗装面Ｒと面一とする（図５ｂ）。このとき、蓋枠２が首部１にアンカーボルト等で固定されている場合には、ナットを外すなどによってその固定を解放する。面一となれば、首部１と蓋枠２の間隙に鉄板２３などの詰め物（ライナー）をして、蓋枠２を安定させ、その空隙にセメントｃを詰める。
【００２２】
つぎに、図５ｃに示すように、ジャッキ２２及び受座２１を除去し、首部１内面の周囲適宜位置に土壌（地盤）Ｗまで通じる孔２５を形成し、その孔２５から、固化剤注入器Ａによりノズル２６を介して固化剤ａを首部１及び土壌Ｗ中に注入して固化させる。これにより、首部１及び土壌中のクラックｂ等に固化剤が入り込んで固化することにより補強がなされる。固化剤及びその注入器Ａには、上記特開平７−１５０５８２号公報に記載のものなどの周知のものを適宜に使用する。
【００２３】
これらの作業が終了すれば、首部１の内面をモルタル仕上げし、その後、図５ｄに示すように、作業台１０等を除去するとともに、マンホール用蓋枠周囲の舗装部（面）Ｒの凹凸、クラックなどをアスファルト系乳剤などの段差修正材料で補修する。
【００２４】
受座２１は、図７に示すように、上下にビス穴２１ａがあって、その上下で止めることとなるため、ジャッキ２２に対する抗力面で優れている。
【００２５】
なお、この作業台１０などのこの発明に係る作業台は、実施例の補修方法に限られるものではなく、他の補修方法などのマンホール首部内の各種作業に使用し得ることは勿論である。また、作業台１０を蓋枠２に係止する手段は、実施例に限らず、周知のものを採用でき、例えば、上枠１２にフックを設けて、そのフックを係止するようにし得る。このとき、上枠１２の径は鍔部２ａ内径より小さくし得る。
【００２６】
また、ジャッキ２２による蓋枠２の上昇方法として、蓋枠２と首部１の間に内面から穴を形成し、 その穴にジャッキ２２を入れて蓋枠２を上昇させることもできる。さらに、図８に示すように、マンホール首部１が上下方向２段以上のプレキャスト筒体１ａを積層して形成されたもの、いわゆるプレハブマンホールにおいては、図９に示すように、そのプレキャスト筒体１ａの界面周囲内面適宜位置に穴３０を形成し、この穴３０にジャッキ２２を入れて、上側のプレキャスト筒体１ａを介して蓋枠２を上昇させる等の手段を採用できる。これらの手段は、鍔部２ａのない蓋枠２でも採用できる。蓋枠２の上昇後は、上記実施例と同様に、ライナーの挿入、セメント詰め、固化剤の注入固化等を行う。
【００２７】
【発明の効果】
この発明は、以上のようにしたので、静かな作業環境を得ることができるとともに、作業性もよいものとなる。
【図面の簡単な説明】
【図１】一実施例の概略図
【図２】図１の要部拡大図
【図３】同実施例の作業台の斜視図
【図４】（ａ）は同作業台の上枠の平面図、（ｂ）は同正面図、（ｃ）は同作業台の連結杆の正面図、（ｄ）は同作業台の乗板の平面図、（ｅ）は同正面図、（ｆ）は同作業台の昇降用足場の正面図
【図５ａ】同実施例の作用図
【図５ｂ】同実施例の作用図
【図５ｃ】同実施例の作用図
【図５ｄ】同実施例の作用図
【図６】同実施例の作用図
【図７】ジャッキ受座の他例斜視図
【図８】プレハブマンホールの要部断面図
【図９】他の実施例の要部拡大図
【図１０】従来例の概略図
【符号の説明】
Ｃ  コンクリート壁
Ｒ  舗装面
Ｍ  マンホール
Ｗ  地盤（土壌）
ａ  固化剤
ｂ  クラック
ｃ  セメント
１  マンホール首部
１ａ  プレキャスト筒体
２  マンホール用蓋枠
２ａ  蓋枠鍔部
３  梯子
４  マンホール用蓋
１０  作業台
１１  乗板
１２  上枠
１３  連結杆
１３ａ  連結杆突部
１４  作業用足場
１５  ボルト穴
１６  遮蔽シート
１７  止めボルト
２１  受座
２２  ジャッキ
２２ａ  プランジャ
２３  鉄板（ライナー）
２５  孔
２６  ノズル
３０  ジャッキ用穴
【図１】
0003639559.tif 000002
【図２】
0003639559.tif 000003
【図３】
0003639559.tif 000004
【図４】
0003639559.tif 000005
【図５ａ】
0003639559.tif 000006
【図５ｂ】
0003639559.tif 000007
【図５ｃ】
0003639559.tif 000008
【図５ｄ】
0003639559.tif 000009
【図６】
0003639559.tif 000010
【図７】
0003639559.tif 000011
【図８】
0003639559.tif 000012
【図９】
0003639559.tif 000013
【図１０】
0003639559.tif 000014